【事件の表示】
　特願２０１５−　８９７３９「インクカートリッジ、インクカートリッジのセット及びＩＣチップ」拒絶査定不服審判事件〔平成２７年　９月２４日出願公開、特開２０１５−１６６１８５、請求項の数（３）〕について、次のとおり審決する。
【結　論】
　原査定を取り消す。
　本願の発明は、特許すべきものとする。
【理　由】
第１　手続の経緯
　本願は、平成２４年９月２６日（パリ条約による優先権主張２０１１年１２月３０日、中国）に出願された特願２０１２−２１１８７１号（以下「原出願」という。）の一部を、平成２７年４月２４日に新たな特許出願としたものであって、平成２８年１月５日付けで拒絶理由が通知され、同年４月７日付けで手続補正がされ、同年９月１４日付けで拒絶査定（以下「原査定」という。）がされ（同査定の謄本の送達（発送）日　同年同月２０日）、これに対し、同年１２月２日に拒絶査定不服審判が請求され、その後、当審において平成２９年５月２９日付けで拒絶理由（以下「当審拒絶理由」という。）が通知され、同年７月１４日付けで手続補正がされたものである。
第２　本願発明
　本願の請求項１ないし３に係る発明は、平成２９年７月１４日付けの手続補正で補正された特許請求の範囲の請求項１ないし３に記載された事項により特定されるものと認められる。本願の請求項１ないし３に係る発明（以下、順に「本願発明１」ないし「本願発明３」という。）は以下のとおりである。
「【請求項１】
　光を感知する受光部と、母線で接続された複数の設備電気接点とを有するインクジェットプリンターに装着されるインクカートリッジにおいて、
　前記インクジェットプリンターに装着されるインクカートリッジは複数であり、
　前記設備電気接点に電気接続する容器電気接点と、
　複数色の内、第１の色を特定する第1色識別情報が格納された情報記憶装置と、
　前記受光部に向けて発光する発光部と、
　前記インクジェットプリンターから出力された前記第１の色とは異なる他の色を特定する他色識別情報及び前記発光部の発光状態を制御する状態制御情報を含む発光指令を受信した後に、前記他色識別情報を無視して前記状態制御情報に基づき前記発光部を制御して発光させる制御部と
　を備えるインクカートリッジ。
　　【請求項２】
　光を感知する受光部と、母線で接続された複数の設備電気接点とを有するインクジェットプリンターに装着されるインクカートリッジのセットにおいて、
　該セットは少なくとも、
　請求項１に記載の第１の色に係るインクカートリッジと、
　第２の色に係るインクカートリッジとを含み、
　該第２の色に係るインクカートリッジは、
　前記設備電気接点に電気接続する容器電気接点と、
　複数色の内、第２の色を特定する第２色識別情報が格納された情報記憶装置と、
　前記受光部に向けて発光する発光部と、
　前記インクジェットプリンターから出力された前記第２の色とは異なる他の色を特定する他色識別情報及び前記発光部の発光状態を制御する状態制御情報を含む発光指令を受信した後に、前記他色識別情報を無視して前記状態制御情報に基づき前記発光部を制御して発光させる制御部とを備える
　インクカートリッジのセット。
　　【請求項３】
　光を感知する受光部と、母線で接続された複数の設備電気接点とを有するインクジェットプリンターに装着されるインクカートリッジのＩＣチップにおいて、
　前記インクジェットプリンターに装着されるインクカートリッジは複数であり、
　前記設備電気接点に電気接続する容器電気接点と、
　複数色の内、第１の色を特定する第1色識別情報が格納された情報記憶装置と、
　前記受光部に向けて発光する発光部と、
　前記インクジェットプリンターから出力された前記第１の色とは異なる他の色を特定する他色識別情報及び前記発光部の発光状態を制御する状態制御情報を含む発光指令を受信した後に、前記他色識別情報を無視して前記状態制御情報に基づき前記発光部を制御して発光させる制御部と
　を備えるＩＣチップ。」
第３　原査定の理由について
１．原査定の理由の概要
「この出願の下記の請求項に係る発明は、その原出願の優先日に日本国内又は外国において、頒布された下記の刊行物に記載された発明又は電気通信回線を通じて公衆に利用可能となった発明に基いて、そ原出願の優先日前にその発明の属する技術の分野における通常の知識を有する者が容易に発明をすることができたものであるから、特許法第２９条第２項の規定により特許を受けることができない。
　　　　　　　　　　　　　　　　　記
・請求項　１〜３
・引用文献　特開２００９−２４８３７３号公報」
２．原査定の理由の判断
（１）引用文献
　原査定に係る拒絶理由で引用された、本願の原出願の優先日前に頒布された刊行物である特開２００９−２４８３７３号公報（以下「引用文献」という。）には、図面とともに以下の事項が記載されている（下線は審決で付した。）。
ア．「【０００９】
　以下、図面を参照して本発明を詳細に説明する。
　図１は、本発明を適用可能な
インクジェット記録装置（以下、単に記録装置ともいう）１９１
【００１０】
　図１に示すように、本実施形態の記録装置１９１は、記録ヘッドおよびインクタンクを搭載したキャリッジ１９６が走査のための移動する機構などを備えている。また、
記録装置１９１は、キャリッジ１９６等が本体カバー１９２およびその他のケース部分によって覆われている記録装置本体と
を備えている
【００１１】
　本体カバー１９２を開放した状態で、操作者は、キャリッジ１９６が移動する範囲およびその周辺を見ることができる。キャリッジ１９６は記録ヘッドユニット１６２および
ブラックタンク１０１Ｋ、イエロータンク１０１Ｙ、マゼンタタンク１０１Ｍ、シアンタンク１０１Ｃ（以下、これらのインクタンクを同一の符号「１０１」で示す場合もある）
【００１２】
　本実施形態の記録装置１９１は、記録ヘッドユニット１６２に、各色のインクに対応したチップ形態の記録ヘッド（不図示）が設けられている。これら各色の記録ヘッドがキャリッジ１９６の移動によって用紙などの記録媒体に対して往復走査を行い、記録媒体にインクを吐出して記録を行うものである。すなわち、キャリッジ１９６は、その移動方向に延在するシャフト１９８と摺動可能に係合するとともに、キャリッジモータおよびその駆動力伝達機構によって、上述の移動をすることができる。そして、ブラックＫ、イエローＹ、マゼンタＭ、シアンＣのインクに対応したそれぞれの記録ヘッドでは、フレキシブルケーブル１９７を介して制御回路から送られる吐出データに基づいてインクの吐出が行われる。また、記録装置１９１には、紙送りローラや排紙ローラなどの紙送り機構が設けられ、自動給紙装置１９３から給紙された記録媒体（不図示）を排紙トレイ１９４まで搬送することができる。また、
キャリッジ１９６には、タンクホルダと一体の記録ヘッドユニット１６２が着脱自在に装着され
イ．「【００１８】
　タンクホルダ１６３は、インクタンク１０１から供給されたインクを吐出する記録ヘッド１６１を備えた記録ヘッドユニット１６２と一体に形成されている。このホルダ１６３の第１係止部１６５および第２係止部１６６に対し、インクタンク１０１の第１係合部１０３および第２係合部１０４がそれぞれ係合することで、
インクタンク１０１がホルダ１６３に装着され固定される
ホルダ１６３に設けられた接点（以下コネクタと称す）１６４と、インクタンク１０１に設けられた基板１４１の電極パッド１４３
とが接触し、インクタンク１０１とタンクホルダ１６３との電気的接続が可能になる
ウ．「【００２１】
　
インクタンク１０１の内側に向けて取り付けられる基板１４１の面には、
可視光を発生する発光素子１４２と、情報を記憶可能な記憶素子と、発光素子を制御する制御素子とが設けられている
記憶素子と制御素子とは一体のＩＣパッケージ１４４として基板に設けられており
【００２２】
　
発光素子１４２から発光された光は、
表示部１２２まで到達する
エ．「【００２６】
　インクタンク１０１は、製造時に発光素子１４２の発光確認を行い、発光光量のチェックを行っている。発光光量のチェックでは、発光素子１４２から発光された光が導光部１２１内を通り表示部１２２へ到達した光の強さを工程のセンサで認識する。これを光の強さに応じた４段階のランク情報として分類し、それぞれのインクタンク１０１に設けられたＩＣパッケージ１４４内の記憶素子にランク情報が書き込まれる。同時に、
記憶素子には、インクタンク１０１に注入された色（色ＩＤ）
の情報も書き込まれる
オ．「【００３３】
　
記録装置の制御部から送られるパケットは、複数搭載される各色のインクタンクを識別するための色ＩＤと発光素子のオン／オフを制御する信号の組からなる
【００３４】
　それぞれの命令は、インクタンク１０１に設けられたＩＣパッケージ１４４内の制御素子が受け取る
。制御素子は、記憶素子に書かれた色ＩＤとパケットの色ＩＤを照合し、不合致の場合は以降の命令に対して反応しないが、合致した場合は、次にある発光素子の点灯／消灯の命令に従う
カ．「【００４９】
　なお、上記の説明では、操作者が目視により表示パターンを確認することを説明したが、本実施形態の記録装置は、操作者が何らかの原因により表示パターンを確認できなかった場合でも、インクタンク装着位置の誤りを検出可能である。
【００５０】
　
記録装置本体に光量測定用の受光部２１０
を設ける
【００５１】
　図１１は、インクタンクのＬＥＤと記録装置のフォトトランジスタとの関係を模式的に示した図である。本実施形態においては、図１１で示す回路により光電流の変化を電圧の変化として検出している。このような構成によれば、インクタンク上の表示装置を発光させながらキャリッジの位置を移動させ、その際の受光部による受光光量を記憶することでキャリッジ上のインクタンク装着位置を表示可能である。なお、
受光部２１０を表示部１２２に対向する位置に設けることで、
位置表示動作を実現可能である
　上記の記載事項を総合すると、引用文献には、次の発明が記載されているものと認められる。
「キャリッジ等が本体カバーおよびその他のケース部分によって覆われている記録装置本体を備え、
記録装置本体に光量測定用の受光部を設け、
キャリッジには、タンクホルダと一体の記録ヘッドユニットが着脱自在に装着された、
インクジェット記録装置において、
インクタンクはブラックタンク、イエロータンク、マゼンタタンク、シアンタンクであって、
インクタンクがタンクホルダに装着され固定され、タンクホルダに設けられたコネクタと、インクタンクに設けられた基板の電極パッドとが接触し、インクタンクとタンクホルダとの電気的接続が可能になり、
インクタンクの内側に向けて取り付けられる基板の面には、可視光を発生する発光素子と、情報を記憶可能な記憶素子と、発光素子を制御する制御素子とが設けられ、
記憶素子と制御素子とは一体のＩＣパッケージとして基板に設けられており、
記憶素子には、インクタンクに注入された色（色ＩＤ）の情報が書き込まれ、
発光素子から発光された光は、表示部まで到達し、
受光部を表示部に対向する位置に設けることで、位置表示動作を実現可能であり、
記録装置の制御部から送られるパケットは、複数搭載される各色のインクタンクを識別するための色ＩＤと発光素子のオン／オフを制御する信号の組からなり、
制御素子は、記憶素子に書かれた色ＩＤとパケットの色ＩＤを照合し、不合致の場合は以降の命令に対して反応しないが、合致した場合は、次にある発光素子の点灯／消灯の命令に従う
インクタンク。」（以下「引用発明Ａ」という。）
「キャリッジ等が本体カバーおよびその他のケース部分によって覆われている記録装置本体を備え、
記録装置本体に光量測定用の受光部を設け、
キャリッジには、タンクホルダと一体の記録ヘッドユニットが着脱自在に装着された、
インクジェット記録装置において、
インクタンクはブラックタンク、イエロータンク、マゼンタタンク、シアンタンクであって、
インクタンクがタンクホルダに装着され固定され、タンクホルダに設けられたコネクタと、インクタンクに設けられた基板の電極パッドとが接触し、インクタンクとタンクホルダとの電気的接続が可能になり、
インクタンクの内側に向けて取り付けられる基板の面には、可視光を発生する発光素子と、情報を記憶可能な記憶素子と、発光素子を制御する制御素子とが設けられ、
記憶素子と制御素子とは一体のＩＣパッケージとして基板に設けられており、
記憶素子には、インクタンクに注入された色（色ＩＤ）の情報が書き込まれ、
発光素子から発光された光は、表示部まで到達し、
受光部を表示部に対向する位置に設けることで、位置表示動作を実現可能であり、
記録装置の制御部から送られるパケットは、複数搭載される各色のインクタンクを識別するための色ＩＤと発光素子のオン／オフを制御する信号の組からなり、
制御素子は、記憶素子に書かれた色ＩＤとパケットの色ＩＤを照合し、不合致の場合は以降の命令に対して反応しないが、合致した場合は、次にある発光素子の点灯／消灯の命令に従う
ＩＣパッケージ。」（以下「引用発明Ｂ」という。）
（２）本願発明１について
ア．対比
　本願発明１と引用発明Ａとを対比する。
　後者の「光量測定用の受光部」は、その構造、機能、作用等からみて、前者の「光を感知する受光部」に相当し、同様に、「インクジェット記録装置」は「インクジェットプリンター」に相当する。また、後者においては「タンクホルダに設けられたコネクタと、インクタンクに設けられた基板の電極パッドとが接触し、インクタンクとタンクホルダとの電気的接続が可能にな」るから、後者の「コネクタ」は前者の「設備電気接点」に相当する。
　後者の「インクジェット記録装置」は、「記録装置本体を備え、記録装置本体に光量測定用の受光部を設け」たものであるから、「光量測定用の受光部」を有するといえる。また、後者の「インクジェット記録装置」は、「キャリッジ等が本体カバーおよびその他のケース部分によって覆われている記録装置本体を備え」ており、「キャリッジには、タンクホルダと一体の記録ヘッドユニットが着脱自在に装着された」のだから、「タンクホルダ」は「インクジェット記録装置」の一部をなすといえ、後者の「タンクホルダに設けられたコネクタ」は「インクジェット記録装置」に設けられているといえる。そうすると、後者の「光量測定用の受光部」を有し、「コネクタ」が設けられた「インクジェット記録装置」と、前者の「光を感知する受光部と、母線で接続された複数の設備電気接点とを有するインクジェットプリンター」とは、「光を感知する受光部と、設備電気接点とを有するインクジェットプリンター」との概念で共通する。
　後者の「インクタンク」は「ブラックタンク、イエロータンク、マゼンタタンク、シアンタンクであって」、「タンクホルダに装着され固定され」るから、「インクタンク」は「インクジェット記録装置」に装着される複数のものであるといえ、後者のこの点は前者の「インクジェットプリンターに装着されるインクカートリッジは複数であ」る点に相当する。
　後者の「電極パッド」は、「タンクホルダに設けられたコネクタと、インクタンクに設けられた基板の電極パッドとが接触し、インクタンクとタンクホルダとの電気的接続が可能にな」るものであるから、前者の「前記設備電気接点に電気接続する容器電気接点」に相当する。
　後者の「記憶素子」は、「インクタンクに注入された色（色ＩＤ）の情報が書き込まれ」るから、前者の「複数色の内、第１の色を特定する第1色識別情報が格納された情報記憶装置」に相当する。
　後者においては「発光素子から発光された光は、表示部まで到達し、受光部を表示部に対向する位置に設けることで、位置表示動作を実現可能であ」るから、後者の「発光素子」及び「表示部」からなる機構は「受光部」に対向して発光しているといえ、後者のこのような機構は前者の「前記受光部に向けて発光する発光部」に相当する。
　後者の「制御素子」は、「記憶素子に書かれた色ＩＤとパケットの色ＩＤを照合し、不合致の場合は以降の命令に対して反応しないが、合致した場合は、次にある発光素子の点灯／消灯の命令に従う」から、記憶素子に書かれた色ＩＤとパケットの色ＩＤを照合し、合致した場合は、命令に従って発光素子を点灯／消灯させるものであって、前者の「前記インクジェットプリンターから出力された前記第１の色とは異なる他の色を特定する他色識別情報及び前記発光部の発光状態を制御する状態制御情報を含む発光指令を受信した後に、前記他色識別情報を無視して前記状態制御情報に基づき前記発光部を制御して発光させる制御部」と、「発光部を制御して発光させる制御部」との概念で共通する。
　したがって、両者は、
「光を感知する受光部と、設備電気接点とを有するインクジェットプリンターに装着されるインクカートリッジにおいて、
　前記インクジェットプリンターに装着されるインクカートリッジは複数であり、
　前記設備電気接点に電気接続する容器電気接点と、
　複数色の内、第１の色を特定する第1色識別情報が格納された情報記憶装置と、
　前記受光部に向けて発光する発光部と、
　発光部を制御して発光させる制御部と
　を備えるインクカートリッジ。」
の点で一致し、以下の点で相違している。
　［相違点１］
　「設備電気接点」に関して、前者では「母線で接続された複数」のものであるに対して、後者ではその点につき明らかでない点。
　［相違点２］
　「制御部」に関して、前者では「インクジェットプリンターから出力された第１の色とは異なる他の色を特定する他色識別情報及び発光部の発光状態を制御する状態制御情報を含む発光指令を受信した後に、前記他色識別情報を無視して前記状態制御情報に基づき前記発光部を制御して発光させる」のに対して、後者ではそのようなものでない点。
イ．判断
　上記相違点２について検討する。
　上記相違点２に係る本願発明１の発明特定事項は、上記引用発明Ａが備えるものではなく、示唆もされていない。また、上記相違点２に係る本願発明１の発明特定事項が、当業者にとって設計事項であるとする根拠もない。
　そして、本願発明１は、上記相違点２に係る本願発明１の発明特定事項を具備することにより、本願明細書に記載のとおり、従来の技術が「インクカートリッジが正しい位置に装着されているにも関わらず、受光部が十分な光を感知できなかったことにより、正しい位置或いは適切な位置に設置されていないと誤判別してしまうことがある。結局このような問題を引き起こす根本的な原因は、生産時の回避できない製造上の誤差により、１つ１つのＬＥＤランプから出される光の量は多少異なり、検知対象のインクカートリッジのＬＥＤランプから発射される光の量が少ないと、光線は散乱光となるため、受光部に届く光の量が閾値を満たさず、インクカートリッジが正しい位置に装着されているにも関わらず、受光部がインクカートリッジ未装着と誤判別してしまう事態が生じる。」（段落【０００４】）ものであったのに対して、「本発明は、インクカートリッジの構造を変えることなく、上記の受光部に届く光の量が閾値を満たさない問題を解決できるインクカートリッジセット及び前記インクカートリッジを利用した装着検知方法を提供する」（段落【０００５】）という作用効果を奏するものである。
　したがって、本願発明１は、引用発明Ａに基づいて、当業者が容易に発明をすることができたものとすることはできない。　
（３）本願発明２について
　本願発明２は、本願発明１のインクカートリッジを含む「インクカートリッジのセット」の発明である。そうすると、本願発明２と引用発明Ａとは少なくとも上記（２）ア．の相違点１及び２において相違するから、本願発明２は、本願発明１と同様に、当業者が引用発明Ａに基づいて容易に発明をすることができたとはいえない。
（４）本願発明３について
ア．対比
　本願発明３と引用発明Ｂとを対比する。
　後者の「光量測定用の受光部」は、その構造、機能、作用等からみて、前者の「光を感知する受光部」に相当し、同様に、「インクジェット記録装置」は「インクジェットプリンター」に、「ＩＣパッケージ」は「ＩＣチップ」に相当する。また、後者においては「タンクホルダに設けられたコネクタと、インクタンクに設けられた基板の電極パッドとが接触し、インクタンクとタンクホルダとの電気的接続が可能にな」るから、後者の「コネクタ」は前者の「設備電気接点」に相当する。
　後者の「インクジェット記録装置」は、「記録装置本体を備え、記録装置本体に光量測定用の受光部を設け」たものであるから、「光量測定用の受光部」を有するといえる。また、後者の「インクジェット記録装置」は、「キャリッジ等が本体カバーおよびその他のケース部分によって覆われている記録装置本体を備え」ており、「キャリッジには、タンクホルダと一体の記録ヘッドユニットが着脱自在に装着された」のだから、「タンクホルダ」は「インクジェット記録装置」の一部をなすといえ、後者の「タンクホルダに設けられたコネクタ」は「インクジェット記録装置」に設けられているといえる。そうすると、後者の「光量測定用の受光部」を有し、「コネクタ」が設けられた「インクジェット記録装置」と、前者の「光を感知する受光部と、母線で接続された複数の設備電気接点とを有するインクジェットプリンター」とは、「光を感知する受光部と、設備電気接点とを有するインクジェットプリンター」との概念で共通する。
　後者の「インクタンク」は「ブラックタンク、イエロータンク、マゼンタタンク、シアンタンクであって」、「タンクホルダに装着され固定され」るから、「インクタンク」は「インクジェット記録装置」に装着される複数のものであるといえ、後者のこの点は前者の「インクジェットプリンターに装着されるインクカートリッジは複数であ」る点に相当する。
　後者においては「記憶素子と制御素子とは一体のＩＣパッケージとして基板に設けられて」いるから、後者の「ＩＣパッケージ」は、「記憶素子」及び「制御素子」を備えているといえ、前者の「ＩＣチップ」と「情報記憶装置と制御部とを備える」との概念で共通する。
　後者の「記憶素子」は、「インクタンクに注入された色（色ＩＤ）の情報が書き込まれ」るから、前者の「複数色の内、第１の色を特定する第1色識別情報が格納された情報記憶装置」に相当する。
　後者の「制御素子」は、「記憶素子に書かれた色ＩＤとパケットの色ＩＤを照合し、不合致の場合は以降の命令に対して反応しないが、合致した場合は、次にある発光素子の点灯／消灯の命令に従う」から、記憶素子に書かれた色ＩＤとパケットの色ＩＤを照合し、合致した場合は、命令に従って発光素子を点灯／消灯させるものであって、前者の「前記インクジェットプリンターから出力された前記第１の色とは異なる他の色を特定する他色識別情報及び前記発光部の発光状態を制御する状態制御情報を含む発光指令を受信した後に、前記他色識別情報を無視して前記状態制御情報に基づき前記発光部を制御して発光させる制御部」と、「発光部を制御して発光させる制御部」との概念で共通する。
　したがって、両者は、
「光を感知する受光部と、設備電気接点とを有するインクジェットプリンターに装着されるインクカートリッジにおいて、
　前記インクジェットプリンターに装着されるインクカートリッジは複数であり、
　複数色の内、第１の色を特定する第1色識別情報が格納された情報記憶装置と、
　発光部を制御して発光させる制御部と
　を備えるＩＣパッケージ。」
の点で一致し、以下の点で相違している。
　［相違点３］
　「設備電気接点」に関して、前者では「母線で接続された複数」のものであるに対して、後者ではその点につき明らかでない点。
　［相違点４］
　前者が「設備電気接点に電気接続する容器電気接点と、受光部に向けて発光する発光部とを備える」のに対して、後者はそのようなものでない点。
　［相違点５］
　「制御部」に関して、前者では「インクジェットプリンターから出力された第１の色とは異なる他の色を特定する他色識別情報及び発光部の発光状態を制御する状態制御情報を含む発光指令を受信した後に、前記他色識別情報を無視して前記状態制御情報に基づき前記発光部を制御して発光させる」のに対して、後者ではそのようなものでない点。
イ．判断
　上記相違点５について検討する。
　上記相違点５に係る本願発明３の発明特定事項は、上記引用発明Ｂが備えるものではなく、示唆もされていない。また、上記相違点５に係る本願発明３の発明特定事項が、当業者にとって設計事項であるとする根拠もない。
　そして、本願発明３は、上記相違点５に係る本願発明３の発明特定事項を具備することにより、本願明細書に記載のとおり、従来の技術が「インクカートリッジが正しい位置に装着されているにも関わらず、受光部が十分な光を感知できなかったことにより、正しい位置或いは適切な位置に設置されていないと誤判別してしまうことがある。結局このような問題を引き起こす根本的な原因は、生産時の回避できない製造上の誤差により、１つ１つのＬＥＤランプから出される光の量は多少異なり、検知対象のインクカートリッジのＬＥＤランプから発射される光の量が少ないと、光線は散乱光となるため、受光部に届く光の量が閾値を満たさず、インクカートリッジが正しい位置に装着されているにも関わらず、受光部がインクカートリッジ未装着と誤判別してしまう事態が生じる。」（段落【０００４】）ものであったのに対して、「本発明は、インクカートリッジの構造を変えることなく、上記の受光部に届く光の量が閾値を満たさない問題を解決できるインクカートリッジセット及び前記インクカートリッジを利用した装着検知方法を提供する」（段落【０００５】）という作用効果を奏するものである。
　したがって、本願発明３は、引用発明Ｂに基づいて、当業者が容易に発明をすることができたものとすることはできない。
（５）まとめ
　以上のとおりであるから、本願については、原査定の拒絶理由を検討してもその理由によって拒絶すべきものとすることはできない。
第４　当審拒絶理由について
１．当審拒絶理由の概要
「本件出願は、明細書、特許請求の範囲及び図面の記載が下記の点で不備のため、特許法第３６条第６項第１号に規定する要件を満たしていない。
請求項１、３について
　本願の請求項１、３の記載は、インクジェットプリンターに装着されるインクカートリッジが複数であることを特定しておらず、装着されるインクカートリッジが１つである場合を含むものとなっている。
　しかし、本願の発明の詳細な説明によると、本願は、「
検知対象のインクカートリッジのＬＥＤランプから発射される光の量が少ないと、光線は散乱光となるため、受光部に届く光の量が閾値を満たさず、インクカートリッジが正しい位置に装着されているにも関わらず、受光部がインクカートリッジ未装着と誤判別してしまう事態が生じる。
例え任意のインクカートリッジ発光部から発射される光の量が少ない場合でも、ほかのインクカートリッジの光線で補ってプリンターに正しく識別させることができる。
装着検知の時は、たとえいずれかのＬＥＤランプの発光量が少ない場合でも、隣接のインクカートリッジのＬＥＤランプから発射される散乱光である程度補い、検知に必要な光の量に係る閾値を満たすようにしている
　してみると、本願の請求項１、３に係る発明において、インクジェットプリンターに装着されるインクカートリッジが１つである場合、インクカートリッジの発光部の発光量が少ないときに隣接する他のインクカートリッジから発射される光によって補われるということはないから、発明の詳細な説明に記載された、上記のような課題は解決されない。
　したがって、本願の請求項１、３に係る発明は、発明の詳細な説明によって十分にサポートされているとはいえず、発明の詳細な説明に記載したものであることが明確でない。」
２．当審拒絶理由の判断
　平成２９年７月１４日にされた手続補正により、本件補正前の請求項１及び３は上記「第２　本願発明」において摘示した請求項１及び３のとおりにそれぞれ補正された。
　このことにより、請求項１及び３に係る発明は発明の詳細な説明に記載したものであることが明確となった。
　よって、当審拒絶理由は解消した。
第５　むすび
　以上のとおりであるから、原査定の理由及び当審拒絶理由によっては、本願を拒絶することはできない。
　また、他に本願を拒絶すべき理由を発見しない。
　よって、結論のとおり審決する。